(57)【特許請求の範囲】
【請求項１】
プラスチックフイルムの表面に雄雌一対の鉤爪からなる密閉用チャックが形成されていて、該チャックの開閉をスライダーで行わせるようにしたスライダー付きプラスチックチャックにおいて、密閉用チャックの雄雌爪それぞれの開口部側にフランジを設け、それぞれのフランジの端部を接続し、契合状態にある密閉用チャックと接続されたフランジ部分で構成される閉鎖されたプラスチック筒の内部に楔状の開口プレートを押し込むことによって先ず密閉用チャックを開口し、該密閉チャックが開口した後に閉止状態にあるフランジの上部を開口することを特徴とするスライダー付きプラスチックチャック。
【請求項２】
スライダーのスライド操作によってスライダーの開口端が密閉用チャックの密閉端に達した時点に、該位置で密閉用チャックと接続したフランジ部分で構成される閉鎖されたプラスチック筒を形成させないことによって密閉用チャックの密閉を保つことを特徴とする請求項１に記載のスライダー付きプラスチックチャック。
【請求項３】
閉鎖されたプラスチック筒を形成させないために、密閉用チャックの密閉端の位置で、開口プレートに対応する部分のフランジにスリットをいれることを特徴とする請求項２に記載のスライダー付きプラスチックチャック。
【請求項４】
契合状態にある密閉用チャックの雄雌爪それぞれの開口側フランジの端部を接続するために該フランジの端部に第２チャック又はリブを設けることを特徴とする請求項１に記載のスライダー付きプラスチックチャック。
【請求項５】
スライダーの開口プレート上部に密閉用チャックと平行に接続溝を設け、第２チャック又はリブを該接続溝に入れ、該接続溝の開口部に蓋を設けることによって契合状態にある密閉用チャックの雄雌爪それぞれの開口側フランジの端部の接続を維持することを特徴とする請求項４に記載のスライダー付きプラスチックチャック。
【請求項６】
スライダーのスライド操作によってスライダーの開口端が密閉用チャックの密閉端に達した時点に、該位置で密閉用チャックと接続したフランジ部分で構成される閉鎖されたプラスチック筒を形成させないことによって密閉用チャックの密閉を保つことを特徴とする請求項４に記載のスライダー付きプラスチックチャック。
【請求項７】
閉鎖されたプラスチック筒を形成させないために、密閉用チャックの密閉端の位置で、第２チャック又はリブの開口プレートに対応する部分を押し潰して平坦にするか又は切り取ることを特徴とする請求項６に記載のスライダー付きプラスチックチャック。
【請求項８】
請求項１に記載のスライダー付きプラスチックチャックを備えた袋体。
【発明の詳細な説明】
技術分野
本発明は、食品，薬品，電子部品等の包装容器に使用され、開閉操作を繰り返した後でも密閉性を保つことができ、開口が容易で再封止可能なスライダー付きプラスチックチャックと該プラスチックチャックを備えた袋体に関する。
背景技術
食品，薬品，電子部品その他の物品の包装材として、プラスチックフイルムの表面に雄雌一対の鉤爪からなるチャックを設けたプラスチックチャックを袋体の開口部に取り付けたプラスチックチャック付き袋体が多く使用されており、特にそのチャックの開閉をスライダーで行わせるスライダー付きプラスチックチャックは開閉が容易であることから、多用されている。
このスライダーは外側と内側のガイドで構成されており、内側のガイドがプラスチックチャックの雄雌の鉤爪の間に挿入された構造を有し、内側ガイドがチャックの鉤爪を開かせ、外側ガイドがチャックの鉤爪を閉じる構造（特開平８−２１４９２０号）のものが通常使用されている。
これらの通常型スライダーでは内側ガイドがチャックの鉤爪の間に挿入されているためチャックを完全に締め切っても鉤爪の間に挿入された内側ガイドと鉤爪の間から洩れを生ずるために密閉を必要とする用途には使用できず、専ら雑貨類などの密閉の必要がない用途のみに使用されていた。
特殊な形状のプラスチックチャックとこれに適合したスライダーを用いてスライダーを閉止した状態でも密閉を保つ構造のチャックも提案されている（Ｕ．Ｓ．Ｐ．５，０６７，２０８号、Ｕ．Ｓ．Ｐ．５，６６４，２９９号）。
これらのチャックでは小さい力で外れ易くする目的で、チャックを構成するプラスチック材料の弾性を用いて密閉性を保っているために、温度変化などで弾性率が変わると開閉操作後の密閉性を持続することができず、洩れ量が増加したりする。このため液体など洩れがあると困る内容物の包装には使用することができない。
一方、本発明者は、プラスチックの表面に形成されたプラスチックチャックの雄鉤爪の内側に該爪と平行に連続締付壁を、雌鉤爪の内側に該爪と平行に連続押付けリブを形成して、この連続締付壁と連続押付けリブとの密着性や自緊効果によって優れた持続的密閉性や耐衝撃性を発揮させるようにした密閉チャックを特許第２９３８７８４号として提案した。この密閉チャックは密閉性と耐衝撃性に優れていて温度による性能変化もほとんどないため液体などの包装に適している。
また、この密閉チャックに適合した密閉性を損なわないスライダーとして、本発明者は、特開２００１−１３０５９４号公報に示すスライダー及びこのスライダーを備えたプラスチックチャックを提案した。この構成は、図１０に示すように、プラスチックチャックにおける開口側の鉤爪の開口部側フランジ部（延設部）に該チャックと平行にスライダー案内用の突起Ｇ２−１，Ｇ２−２を設けると共に、スライダーＳのプレート部Ｃには前記突起とプラスチックチャックの開口側の鉤爪との間に位置するように内側ガイドＳ−１を設け、スライダーをスライドさせることにより、図１２及び図１３に示すように密閉チャックの開閉を行えるようにした構成である。
しかし、これらのスライダー付きプラスチックチャック及び該チャック付き袋体にあっては、スライダーＳで閉止状態にあるプラスチックチャックを外部から前記突起部Ｇ２−１，Ｇ２−２を引っ張ることによって開口することができるため不正開封を防ぐことができないという難点がある。
このようにスライダーで閉止後においても不正開封が可能な構成では不正開封されて異物が混入されたり品質に異常をもたらす事態が発生するおそれがあるから、この欠点を解消するために、本発明者は、チャックのみで完全密封包装を行い、且つ密封包装後に開封されたことを検知することができるスライダー付きプラスチックチャック及びこのチャックを備えた袋体を特願２０００−３４５０５７号として先に提案した。
この不正開封検知手段を備えたスライダー付きチャック及びこのチャック付きの袋体は、図１４〜図１７に例示するように、プラスチックの表面に雄雌一対のチャックが形成され、且つ雄鉤爪１−１の内側に該爪と平行な連続締付け壁１−２と連続押しつけリブ１−４を有するスライダー付きプラスチックチャックにおいて、チャックが契合された状態で連続締付け壁１−２と連続押しつけリブ１−４の表面を易剥離プラスチック層Ａ−１，Ｂ−１で接着する方法と、プラスチックの表面に雄雌一対の鉤爪５−１，５−２とそれぞれ平行に形成されたスライダー案内用突起Ｇ−１，Ｇ−２を易剥雛プラスチック層Ａ−８，Ｂ−８で接着する方法である。
この方法にあっては、易剥離プラスチック層を引き剥がした後は前記特開２００１−１３０５９４号公報で開示したスライダーで容易に開閉することができるが、易剥離プラスチック層を該スライダーで引き剥すことは易剥離プラスチック層の剥離強度が安定しないなどの理由でスライダーによる剥離を安定的に実施するためにはスライダーの開口力を大幅に増加する必要がある。このため、スライダー案内用突起やスライダーの内側ガイドを大型化せざるを得ないから、該スライダーを小型の袋には適用できないという問題点がある。
特許第３０２６８３９号公報には、チャックの開口側に付けたフランジの端部にリブを付けたチャックを垂下側壁部と逆Ｕ字形状の部材を有するスライダーで開閉する方法が記載されている。この方法では開口力は容易に得られるものの、密閉性等に優れた本発明者の提案に係る前記特許第２９３８７８４号公報に示す密閉チャックに適用するとスライダー内部の逆Ｕ字形状の部材を大きくしなければならず、小型の袋に適用することができない。
本発明者は、プラスチックの表面に雄雌一対で形成されたスライダー付きプラスチックチャックにおいて、開口側に封止用鈎爪と平行に雌雄一対のチャックを設け、且つスライダーの内側ガイドを封止用鉤爪とスライダー案内用鈎爪との間に位置させたことを特徴とする不正開封を防止したスライダー付きプラスチックチャックも特願２０００−３７５５０１号として提案した。
この場合は先ずスライダー案内用鈎爪を開放し、開放されたスライダー案内用鈎爪にスライダーの内側ガイドを引掛けてチャックを開放するようになっているが、これらの発明の併用、即ち前記の連続締付け壁と連続押しつけリブの表面を易剥離プラスチック層で接着したプラスチックチャックの開口側に封止用鈎爪と平行に雌雄一対のチャックを設けることもできる。しかし、前記のスライダーと同様に該スライダーを小型の袋には適用できない問題点があるから、小型スライダーでありながら開口力を大幅に増加させることことができるスライダー付きプラスチックチャックの開発が望まれていた。
発明の開示
本発明者は鋭意研究した結果、前記の連続締付壁と連続押付けリブを易剥離プラスチック層で接着した密閉チャック等のように開口強度が極めて大きなチャックであっても該チャックの特性を損なわないスライダーを備えたチャックを小型の袋体に適用するために、小型でありながらスライダーの開口力を大幅に増加できるスライダー付きプラスチックチャック並びに該チャック付き袋体を開発した。
課題を解決するための手段を要約すれば次のとおりである。
（１）プラスチックフイルムの表面に雄雌一対の鉤爪からなる密閉用チャックが形成されていて、該チャックの開閉をスライダーで行わせるようにしたスライダー付きプラスチックチャックにおいて、密閉用チャックの雄雌爪それぞれの開口部側にフランジを設け、それぞれのフランジの端部を接続し、契合状態にある密閉用チャックと接続されたフランジ部分で構成される閉鎖されたプラスチック筒の内部に楔状の開口プレートを押し込むことによって先ず密閉用チャックを開口し、該チャックが開口した後に閉止状態にあるフランジの上部を開口すること。
（２）前記（１）に記載のスライダー付きプラスチックチャックにおいて、スライダーのスライド操作によってスライダーの開口端が密閉用チャックの密閉端に達した時点に、該位置で密閉用チャックと接続したフランジ部分で構成される閉鎖されたプラスチック筒を形成させないことによって密閉用チャックの密閉を保つこと。
（３）前記（２）に記載のスライダー付きプラスチックチャックにおいて、閉鎖されたプラスチック筒を形成させないために、密閉用チャックの密閉端の位置で、開口プレートに対応する部分のフランジにスリットをいれること。
（４）前記（１）に記載のスライダー付きプラスチックチャックにおいて、契合状態にある密閉用チャックの雄雌爪それぞれの開口側フランジの端部を接続するために該フランジの端部に第２チャック又はリブを設けること。
（５）前記（４）に記載のスライダー付きプラスチックチャックにおいて、スライダーの開口プレート上部に密閉用チャックと平行に接続溝を設け、第２チャック又はリブを該接続溝に入れ、該接続溝の開口部に蓋を設けることによって契合状態にある密閉用チャックの雄雌爪それぞれの開口側フランジの端部の接続を維持すること。
（６）前記（４）に記載のスライダー付きプラスチックチャックにおいて、スライダーのスライド操作によってスライダーの開口端が密閉用チャックの密閉端に達した時点に、該位置で密閉用チャックと接続したフランジ部分で構成される閉鎖されたプラスチック筒を形成させないことによって密閉用チャックの密閉を保つこと。
（７）前記（５）に記載のスライダー付きプラスチックチャックにおいて、閉鎖されたプラスチック筒を形成させないために、密閉用チャックの密閉端の位置で、第２チャック又はリブの開口プレートに対応する部分を押し潰して平坦にするか又は切り取ること。
（８）前記（１）に記載のスライダー付きプラスチックチャックを袋体の開口部に設ける。
発明を実施するための最良の形態
本発明の実施の形態を図１〜図９に基づいて説明する。図１はスライダー付きプラスチックチャックを備えた袋体の一部を切り取った概略的な斜視図であって、図２〜図４はそれぞれ図１のスライダー開口端のＡ−Ａ’線断面図，開口プレートのＢ−Ｂ’線断面図，スライダー閉止端のＣ−Ｃ’線断面図であり、図５，図６は図３に対応する図であってそれぞれ第２チャックの代わりに異なった形状のリブを設けた場合の断面図と部分断面図である。
図において、Ｆはプラスチックフイルム、Ｆ２／Ｍ２はそれぞれ第２チャックの雌／雄爪、Ｆ１−１，Ｆ１−２はそれぞれ密閉用チャックの雌爪、Ｍ１−１，Ｍ１−２はそれぞれ密閉用チャックの雄爪、Ｒ１，Ｒ２はそれぞれ連続押付壁，連続押付リブ、Ｓはスライダー、Ｓ１は開口プレート、Ｓ２は蓋、Ｓ３は開口支柱、Ｓ４は接続溝、Ｓ５は脱落防止突起、Ｓ６は密閉用チャック閉止壁、Ｓ７は第２チャック閉止壁、Ｂはリブ、Ｅ１，Ｅ２はそれぞれチャック開口端とチャック閉止端である。
図１に示すようにプラスチックフイルムＦの表面に雄雌一対の鉤爪Ｆ１−１，Ｆ１−２、Ｍ１−１，Ｍ１−２、及び連続押付壁Ｒ１，連続押付リブＲ２からなる密閉用チャックＣＨ１が形成されていて、該チャックの開閉をスライダーＳで行わせるようにしたスライダー付きプラスチックチャックにおいて、密閉用チャックＣＨ１の雄雌爪それぞれの開口部側にフランジ（延設部）ＦＬを設け、それぞれのフランジＦＬの端部に一対の鉤爪Ｆ２，Ｍ２からなる第２チャックＣＨ２を設けている。
この場合、スライダーＳをチャック閉止端Ｅ２の方向にスライドすると密閉用チャックと第２チャックのそれぞれが閉止し、逆にチャック開口端Ｅ１の方向にスライダーＳをスライドするとそれぞれのチャックは開口する。
前記のようなスライダー付きプラスチックチャックにおいて、スライダーＳをチャック閉止端Ｅ２の方向にスライドすると、図４に示すスライダーの閉止端Ｃ−Ｃ’断面に設けた密閉用チャック閉止壁Ｓ６と第２チャック閉止壁Ｓ７によって雄雌爪が嵌合し密閉用チャックと第２チャックはほぼ同時にそれぞれ閉止する。
逆にチャック開口端Ｅ１の方向にスライダーＳをスライドすると、まず図４に示す如く共に嵌合した状態にある密閉用チャックと第２チャックで接続されたフランジ部分で構成される閉鎖されたプラスチック筒ＦＰの内部に、図３に示すような楔状の開口プレートＳ１を押し込むことによって先ず密閉用チャックが開口されるが第２チャックは契合状態を維持しながら接続溝Ｓ４の中に格納され蓋Ｓ２に押さえられているため開口しない。
密閉用チャックＣＨ１が開口した後に閉止状態に保持するための接続溝Ｓ４を、開口支柱Ｓ３の直前で接続溝の幅を開口支柱Ｓ３の幅より広くすることによって実質的に開口防止溝の機能を解除したりあるいは接続溝そのものを除去した後、図２に示す如く開口支柱Ｂ３を用いて第２チャックＣＨ２を開口することによって、チャック付き袋体が開口するのである。
以上は密閉用チャックＣＨ１と第２チャックＣＨ２を用いて説明したが、第２チャックＣＨ２の代わりに図５あるいは図６の如きリブＢを用いても良い。リブＢの形状も長方形のみならず、三角形や半円形などの異型であっても良い。更に密閉用チャックとして特許第２９３８７８４号公報で開示した特殊な密閉チャックを例示したが、これに限定されるものではなく、また、第２チャックに関しても例示したチャックに限定されることはなく、共に如何なるチャックを用いても良い。また、本発明のチャックがテープ状に形成され、密閉用チャックの下部で袋体を溶着してなるチャック付き袋体にも適用されることはいうまでもない。
図１でスライダーの開口端Ａ−Ａ’が密閉用チャックの密閉端Ｅ２に達した時に、密閉用チャックの密閉端Ｅ２の位置で、第２チャックやリブの開口プレートに接する部分をヒートシール等を用いて押し潰して平坦にしたり、あるいは第２チャックやリブを切り取ることによって、図８に示す如く密閉用チャックの密閉端の位置で契合状態にある密閉用チャックと第２チャックで接続したフランジ部分で構成される閉鎖されたプラスチック筒を形成させないようにし、その結果、開口プレートで広げられてもフランジの上側が移動可能となっているため下側の密閉用チャックを開口させる力は発生せず、密閉を保つことができる。
また、スライダーの開口端Ａ−Ａ’が密閉用チャックの密閉端Ｅ２に達した時に、密閉用チャックの密閉端Ｅ２の位置で、第２チャック又はリブと密閉チャックＣＨ１の間のフランジ部ＦＬにスリットＳＬを入れることによって、図９に示す如く密閉用チャックの密閉端の位置で契合状態にある密閉用チャックと接続したフランジ部分で構成されるプラスチック筒ＦＰを形成させないようにし、その結果、開口プレートで広げられてもフランジの上側が移動可能となっているため下側の密閉用チャックを開口させる力は発生せず、密閉を保つことができる。
本発明は特許第３０２６８３９号公報に記載されているスリットあるいは切欠きと似ているが機能は全く異なるのである。特許第３０２６８３９号の方法ではチャックを開くためにフランジ端部のリブを開くことが必要条件であり、このリブを開かせないため、あるいはリブを開いても密閉用チャックとの接続を断つためにスリットあるいは切欠きが存在している。
一方、本発明ではチャックを開放する時点でもスリットや切欠きを機能させる時もフランジ端部のリブは特許第３０２６８３９号の方法のように開くことはなく、一貫して閉じており且つ柔軟なフランジを繋いでできた閉鎖されたプラスチック筒を形成させないためにスリットが存在しており、作用も構造も全く異なった構成である。
また、特表平１０−５０３６７２公報に記載のスリットや切り欠きは、フランジが剛性を有し、且つ開放の支点が１個所である片持ちフランジをチャックの開口側に設けてこれを逆Ｔ字の分離構造としたものであり、剛性のある片持ちフランジを開くことによってチャックを開く際に該分離構造の作用をスリットや切り欠きで無効にしようとするものである。
これに対して本発明は柔軟なフランジＦＬを有し、該フランジを繋いでできた閉鎖されたプラスチック筒ＦＰを形成させ、この内部に開口プレートを押し込むことによってチャックを開口し、スリットはこの閉鎖されたプラスチック筒を形成させないために存在しているのであり、剛性のある片持ちフランジの開きを無効にする前記特表平１０−５０３６７２公報に記載のものとは作用も構造も全く異なっている。
使用するスライダーの形式は組立て式のスライダーが好ましい。組立て式のスライダーとしては、図１０及び図１１に示すように、本発明者が特開２００１−１３０５９４号公報で開示したスライダーが使用できる。即ち、スライダーの内側ガイドＳ−１を備えたプレート部Ｃ−１が開いた状態で、このスライダーをチャックに取り付け、次いでプレート部Ｃ−１を閉じることでスライダーを組み立てる。
組立て式スライダーとしては、ＵＳＰ５，０７０，５８３に、スライダーの外側ガイド構成部材を袋体を含む平面に平行する屈曲軸を介して開閉可能としたスライダーが開示されているが、接続溝と開口プレートを安定的に取り付ける必要がある本発明には構造上適用することが困難である。従って本発明を実施するために使用するスライダーは、図１０及び図１１に示すように、ガイド構成部材を袋体を含む平面に直交する屈曲軸を介して閉じることでスライダーを組み立てるようにした前記特開２００１−１３０５９４号公報で開示したスライダーが好ましい。
本発明者の提案に係る前記特願２０００−３４５０５７号に記載したような契合状態のチャックの契合部を易剥離プラスチック層で接着した密閉用チャック（図１４〜図１７）を用いて本発明を実施する場合は、図１０及び図１１に示す前記特開２００１−１３０５９４号公報のスライダーのプレート部Ｃ−１を閉じることでスライダーを組み立てる際に、密閉用チャックの密閉端の位置で密閉用チャックを契合状態を維持したままスライダーを組み立てる必要がある。本発明を実施する際に密閉用チャックと第２チャック間のフランジの内法Ｌ２を一定にした場合は接続溝Ｓ４の深さＬ４を深くすれば、開口プレートＳ１の幅Ｌ５は短くできるし、逆にＬ４を浅くすればＳ１の幅は広くしなければならない。
スライダーをコンパクトにするためには開口プレートＳ１の幅Ｌ５はできるだけ短くすることが必要であり、このため接続溝Ｓ４の深さＬ４はＬ２＋Ｌ３にできるだけ近い値が望ましく、開口プレートＳ１の厚さ分だけＬ２＋Ｌ３よりも深い場合が接続溝Ｓ４の最大深さであるが、通常はこれより浅くする。一方、開口プレートに接するリブＬ２の長さはチャックの幅Ｌ１の６０％から１５０％の範囲が望ましく、これ以上長いとスライダーが大きくなり、これより短くなると図１１で説明したプレート部Ｃ１を閉じることが難しくなるため密閉用チャックを契合状態を維持したままスライダーを安定して組み立てることができない。
〔比較例１〕
材質が直鎖状低密度ポリエチレン（Ｌ−ＬＤＰＥ）で図７−２の如き幅Ｌ１が３．５ｍｍ、フランジの内法Ｌ２が１．５ｍｍ、リブの厚さが０．８ｍｍの密閉用チャック（チャックの長さが２００ｍｍ）のスライダー付き袋体を１００枚のロットから２０枚取り出してチャックの開口強度（単位；ＫｇＦ，５ｃｍ）を測定した結果、平均値２．２９、標準偏差０．３９であった。上記と同一ロットの袋体２０枚は図１０〜１３で例示する前記特開２００１−１３０５９４号公報で開示したスライダーを付けて開口した結果、総ての袋体を容易に開閉することができた。
〔比較例２〕
材質がＬ−ＬＤＰＥで密閉用チャックの連続締付壁表面に１０ミクロンの厚さで易剥離層を設け、連続締付けリブと易剥離層を介して接着した比較例１と同一サイズのチャック付き袋体を１００枚のロットから２０枚を無作為に取り出してチャックの開口強度（単位；ｋｇＦ，５ｃｍ）を測定した結果、平均値３．９０、標準偏差０．４４であった。上記と同一ロットの袋体２０枚に比較例１と同一のスライダーを付けて開口した結果、６枚は開口できたが３枚は全く開口せず、１１枚は不完全開口であった。チャックの開口強度が適正であれば容易に開閉ができたスライダーであっても開口強度が強いチャックに適用すると開閉できない場合があり、開口強度が強いチャックには適用できないと判断した。
〔実施例１〕
材質がＬ−ＬＤＰＥで図７−２の如き幅Ｌ１が３．５ｍｍ、フランジの内法Ｌ２が３．０ｍｍ、リブの厚さが０．８ｍｍのチャックの連続締付壁表面に１０ミクロンの厚さで易剥離層を設け、連続締付けリブと易剥離層を介して接着した比較例１と同一サイズのチャック付き袋体を１００枚のロットから２０枚を無作為に取り出してチャックの開口強度（単位；ＫｇＦ，５ｃｍ）を測定した結果、平均値４．０８、標準偏差０．４７であった。上記と同一ロットの袋体２０枚に開口プレートの幅Ｌ５が４ｍｍ、１ｍｍ幅の蓋を備えた幅２ｍｍ、深さ（Ｌ４）２ｍｍの接続溝を設けた断面の形状が図３のごときスライダーを付けて開口したところ、総ての袋体を容易に開閉することができた。開口強度が強いチャックであっても適用できるスライダーであると判断できた。
産業上の利用可能性
本発明に係るスライダー付きプラスチックチャック及びチャック付き袋体によれば、小型でありながらスライダーの開口力が極めて大きく、例えば、不正開封防止のためにチャックの鈎爪同士又は開口端縁同士が易剥離プラスチック層で接着されていて強力な開口力を要するようなチャックであっても容易に開口することができる。
【図面の簡単な説明】
図１はスライダー付きプラスチックチャックを備えた袋体の一部を切り取った概略的な斜視図である。
図２は図１のＡ−Ａ’線断面図である。
図３は図１のＢ−Ｂ’線断面図である。
図４は図１のＣ−Ｃ’線断面図である。
図５は図３に対応する図であって第２チャックの代わりに異なった形状のリブを設けた場合の断面図である。
図６は同上部分断面図である。
図７−１，図７−２は各部の寸法関係を説明するための断面図である。
図８は密閉用チャックの密閉端の位置でプラスチック筒を形成させないようにするための形態を示す断面図である。
図９は密閉用チャックの密閉端の位置でプラスチック筒を形成させないようにするための他の形態を示す断面図である。
図１０〜図１３は本発明者が提案した特開２００１−１３０５９４号公報に示すスライダー付きプラスチックチャック及びスライダーを示す斜視図である。
図１４〜図１７は本発明者が提案した特願２０００−３４５０５７号のスライダー付きプラスチックチャックを示す断面図である。
符号の説明
Ｆ：プラスチックフイルム
Ｆ１−１，Ｆ１−２：密閉用チャックの雌爪
Ｍ１−１，Ｍ１−２：密閉用チャックの雄爪
Ｆ２：第２チャックの雌爪
Ｍ２：第２チャックの雄爪
Ｒ１：連続押付壁
Ｒ２：連続押付リブ
Ｓ：スライダー
Ｓ１：開口プレート
Ｓ２：蓋
Ｓ３：開口支柱
Ｓ４：接続溝
Ｓ５：脱落防止突起
Ｓ６：密閉用チャック閉止壁
Ｓ７：第２チャック閉止壁
Ｂ：リブ
Ｅ１：チャック開口端
Ｅ２：チャック閉止端
【図１】
0004764599.tif 000002
【図２】
0004764599.tif 000003
【図３】
0004764599.tif 000004
【図４】
0004764599.tif 000005
【図５】
0004764599.tif 000006
【図６】
0004764599.tif 000007
【図７】
0004764599.tif 000008
【図８】
0004764599.tif 000009
【図９】
0004764599.tif 000010
【図１０】
0004764599.tif 000011
【図１１】
0004764599.tif 000012
【図１２】
0004764599.tif 000013
【図１３】
0004764599.tif 000014
【図１４】
0004764599.tif 000015
【図１５】
0004764599.tif 000016
【図１６】
0004764599.tif 000017
【図１７】
0004764599.tif 000018